(57)【要約】【課題】既存のイカ釣り仕掛けの欠点である低い掛け率の解消及び活きエサへの負担を減らしイカの乗りを良くすることを目的とする。【解決手段】活きエサ４に仕掛けを縫い付けるための縫い針１と、イカ掛け針５を活きエサの口部から垂らした状態で泳がせるためのスライド止め３及びイカ掛け針５をハリス２で結ぶ。スライド止め３は活きエサ４の投入時の重みと、海中を泳ぐ引っ張り力では抜けず、イカが乗り、合わせた時にスライド止め３が魚体を突き抜けるように活きエサの背中部の皮と筋肉の弾力を留めとして利用する。スライド止め３はハリス２の材質であるナイロン糸かフロロカーボン糸もしくは同程度の糸状の弾性体を２ｃｍ程度ハリスに結ぶだけであるので軽量な仕掛けとなり、活きエサ４の負担は小さく、弱りにくいためイカの乗りが良い。また活きエサの口部から仕掛けを通すことにより、活きエサの頭部に抱きつく習性のあるイカに対して、合わせた時にイカ掛け針の軌道が必ずイカを通過するため非常に高確率で掛けることが出来る。【選択図】  図１
2004337139.tif 000002
【特許請求の範囲】
【請求項１】
（イ）  ハリス２の片方の端部に縫い針１を結び、反対側の端部にイカ掛け針５を結ぶ。
（ロ）  イカ掛け針５から２０ｃｍ程度のところにハリス２と同程度の弾性体の糸で２ｃｍ程度のスライド止め３を結ぶ。
以上のごとく構成された、活きた小魚をエサとするイカ釣り用仕掛けである。
【発明の詳細な説明】
【０００１】
【発明の属する技術分野】
この発明は活きエサ４に仕掛けを縫い付けるための縫い針１とハリス２、スライド止め３及びイカ掛け針５を組み合わせ、合わせた時にイカ掛け針５の動く軌道が必ずイカを通過するようにしたイカ釣り用の仕掛けである。スライド止め３は活きエサ４の投入時に活きエサ４の重みと、海中で活きエサ４が泳ぐ引っ張り力では抜けないように活きエサ４の皮と肉部の弾力性を留めとして、またイカが活きエサ４に乗り、合わせた時にスライド止め３が変形して活きエサ４の背部分を突き抜けてしまう肉質の破壊され昜さの両面を利用するものである。
【０００２】
【従来の技術】
従来、イカの掛け率向上のために掛け針を活きエサに吊り下げたり、活きエサに掛け針を掛けておいたり、イカの重みでイカ掛け針が動く機能を持ったイカ釣り用の仕掛けはあった。
【０００３】
【発明が解決しようとする課題】
これらには次のような欠点があった。
（イ）  掛け針が、活きエサに固定して吊り下げられているので、イカが活きエサに乗って合わせても、活きエサを抱いたイカと掛け針が同調して動くので掛け針がイカを捉える確率が低い。
（ロ）  合わせた時に活きエサの固定部がはずれてイカと掛け針の動きがが同調しない場合でも掛け針の軌道上に活きエサを抱いたイカがいる確率が低いため掛け率も低い。
（ハ）  活きエサに針を掛けておく仕掛けは、金属部分をイカが警戒して乗りが悪くなる。
（ニ）  イカの重みで針がイカに向けて動く工夫の仕掛けもあるが仕掛けが重くなるために、活きエサの負担が大きくなり動きが悪く、イカの乗りも悪くなる。
本発明は、これらの欠点を除くためになされたものである。
【０００４】
【課題を解決するための手段】
（イ）  イカが活きエサ４を捕食する時は図６のように活きエサ４の頭部に抱きつく習性があるため、合わせた時に掛け針の軌道が小魚の頭部に来るようにすれば掛け針がイカに掛かる確率は高くなる。
（ロ）  掛け針の軌道が活きエサ４の頭部に向かうようにするためには仕掛けのミチ糸７側に縫い針１を設け、活きエサ４の口内から下顎の薄皮部へ縫い針１とスライド止め３を抜き、さらに背部分に縫い針１を抜き、スライド止め３が背部分の皮及び筋肉で留まるまで引く。
（ハ）  イカ掛け針５が活きエサ４の口から１５ｃｍ程度のところで吊り下げるように縫い付けた後、縫い針１をミチ糸７側のスナップ６に接続する。この状態で活きエサ４を海中に投入して泳がせ、イカが活きエサ４に乗ったら合わせることにより、スライド止め３が背部分の皮及び筋肉を突き破り、ハリス２が引かれイカ掛け針５が活きエサ４の口部へ動くことにより、イカが掛け針５にかかる仕組みである。
（ニ）  イカが活きエサに警戒せずに乗りやすくするために、活きエサが自然に泳ぐようにする必要がある。
（ホ）  自然な状態で活きエサを泳がせるためには仕掛け全体をシンプル且つ軽量にすることが必要であるので、活きエサ４に負担のかかる重量物はイカ掛け針５のみとする。スライド止め３は活きエサ４の皮と筋肉で留まり、活きエサ４の自重や遊泳力を受け止め、且つイカが乗り、合わせた時に変形して活きエサ４の背部分を突き抜ける弾性を持つ糸でハリス２に直角になるように結ぶ。このスライド止め３は２ｃｍ程度の長さにしておく。
【０００５】
【発明の実施の形態】
以下、本案の実施の形態について説明する。
（イ）  ハリス２の端部に活きエサを縫い付ける縫い針１を結ぶ。この縫い針は活きエサを縫い付けた後で、ミチ糸７側のスナップ６を接続するための穴を持つ。
（ロ）  ハリス２の反対側の端部にイカ掛け針５を結ぶ。
（ハ）  イカ掛けバリ５から２０ｃｍ〜３０ｃｍ程度のところにスライド止め３を結ぶ。スライド止め３はハリス２の材質であるナイロン糸かフロロカーボン糸もしくは同程度の糸状の弾性体とし、ハリス２に対して直角もしくは縫い針側のハリスとの角度が９０°以下として活きエサの重さで抜けにくくし、長さは２ｃｍ程度になるように結ぶ。
（ニ）  仕掛けの全長は１．０ｍ〜１．５ｍ程度になるように仕上げる。
本案を使用するときは図４のように、活きエサ４の口内から下顎の薄皮部へ縫い針１とスライド止め３を抜き、さらに背部分に縫い針を抜き、スライド止め３が背部分の皮及び筋肉で留まるまで引く。これによりイカ掛け針５が活きエサ４の口から１５ｃｍ程度のところで吊り下がるようにセットされ、縫い針１をミチ糸７側のスナップ６に接続する。この状態で活きエサ４を海中に投入して泳がせ、イカが活きエサ４に乗ったらイカが十分に活きエサに抱きつくのを待って合わせることにより、図６のようにスライド止め３が背部分の皮及び筋肉を突き破り、ハリス２が引かれ、イカ掛け針５が活きエサ４の口部へ動くことにより活きエサ４の頭部に抱きついたイカに掛かる。
（ホ）  スライド止め３の結びコブと活きエサ４の間のハリスに、海中の水分を吸収し軟化する材質である乾燥昆布等を１ｃｍ角程度に切り出し、中心部まで切り込みを入れたものをスライド止めの補強材として挟み込むことにより、活きエサの投入時にスライド止めがさらに抜けにくくなるため、活きエサの遠投が可能となる。海中ではイカが乗るまでに水分を含み軟化するため、合わせた時には容易に抜くことが出来る。またこの補強材は使い捨てとなるため乾燥昆布等の自然に分解するものである必要がある。
【０００６】
【発明の効果】
本案は以上のような縫い針１とスライド止め３を組み合わせ、活きエサ４を縫い付ける構造にすることにより、イカに警戒心を与えず活きエサへの乗りを良くし、また合わせた時の掛け針の軌道がイカを通過することで非常に高い掛け率を実現することが出来る。この仕掛けの構造上、活きエサを縫い付けたあとでミチ糸に接続する必要があるが、スナップを利用することにより非常に簡単に接続出来る。また活きエサの付け替えが頻繁になる釣りではないために、活きエサの交換に伴うミチ糸への接続手間を差し引いても十分な効果がある。
【図面の簡単な説明】
【図１】本発明の全体図である
【図２】本発明の詳細図である。
【図３】本発明の縫い針の構造とミチ糸との接続図である。
【図４】本発明の活きエサの縫い付け解説図である
【図５】本発明のスライド止めの構造図である。
【図６】本発明のイカが掛かる概念図である。
【符号の説明】
１縫い針    ２ハリス    ３スライド止め    ４活きエサの小魚
５イカ掛け針    ６スナップ    ７ミチ糸    ８イカ
【図１】
2004337139.tif 000003
【図２】
2004337139.tif 000004
【図３】
2004337139.tif 000005
【図４】
2004337139.tif 000006
【図５】
2004337139.tif 000007
【図６】
2004337139.tif 000008